(57)【特許請求の範囲】
【請求項１】
背上げベッド用のマットレスを覆うとともに枕を保持する枕ずれ止め付きシ−ツにおいて、
上記マットレスの上面を覆うとともに周辺部が上記マットレスの下面周辺部に折り込まれるシ−ツと、
上記シ−ツの上記マットレスの一端部下面に折り込まれる部分にマットレスの幅方向に所定間隔で設けられた少なくとも２つの第１の連結部と、
上記シ−ツの上記マットレスの両側下面に折り込まれる部分の一端部にそれぞれ設けられた第２の連結部と、
上記枕を保持する保持部を有し、この保持部の一端側には幅方向に所定間隔で少なくとも２つの連結紐が設けられた枕カバ−とを具備し、
上記枕カバ−は、その保持部をシ−ツで覆われた上記マットレスの上面の一端部に位置させ、各連結紐をそれぞれ第１の連結部に係合させ第２の連結部に結合されて設けられることを特徴とする枕ずれ止め付き用シ−ツ。
【請求項２】
上記シ−ツの一端部には、上記マットレスの一端部を挿入するための袋部が形成され、この袋部の上記マットレスの両側下面に折り込まれる両端部に上記第２の連結部が形成され、中央部分に上記第１の連結部が設けられていることを特徴とする請求項１記載の枕ずれ止め付きシ−ツ。
【請求項３】
上記マットレスの両側下面に折り込まれる両端部には、それぞれ複数の第２の連結部がマットレスの幅方向に所定間隔で位置するように設けられていることを特徴とする請求項１または請求項２記載の枕ずれ止め付きシ−ツ。
【発明の詳細な説明】
【０００１】
【発明の属する技術分野】
この発明は利用者の上半身を起すことができる背上げベッドに好適する枕ずれ止め付きシ−ツに関する。
【０００２】
【従来の技術】
たとえば、自力で起き上がることが困難な利用者などには床板の一部を起上させることで上半身を起こすことができる背上げベッドが用いられる。背上げベッドは周知のように、ベッドフレ−ムを有し、このベッドフレ−ム上に床板が設けられる。この床板の一部、つまり利用者の上半身に対応する部分は起伏自在に構成されている。
【０００３】
上記床板上にはマットレスが載置され、このマットレス上には利用者が仰臥する。したがって、上記床板の起伏自在な部分を起上させることで、利用者の上半身を起こすことができるようになっている。
【０００４】
通常、上記背上げベッドを利用する場合、上記マットレスは汚れるのを防止するためにシ−ツで覆われるとともに、利用者は頭部に枕を当てるようにしている。
【０００５】
ところで、上記シ−ツは周辺部がマットレスの下面側へ折り込まれているだけであり、枕はマットレス上に単に載置されているだけである。そのため、利用者が上半身を起こすために上記床板の起伏自在な部分を起上させると、その起上に応じてマットレスが床板から浮き上がったり、ずれるなどのことがある。
【０００６】
そのため、シ−ツの折り込み状態が損なわれてずれ動いたり、マットレスから外れてしまうようなことがある。しかも、上記枕はマットレス上に単に載置されているだけであるから、床板の一部を起上させると、落下してしまうということがある。
【０００７】
背上げ時に枕の落下を防止するできるようにするため、たとえば実公平４−４６７４８号公報に示される背上げベッド用枕カバ−が提案されている。この公報に示された枕カバ−は枕を保持することができる枕カバ−シ−トと、このシ−トに一端が連結され、他端に固定具が設けられたベルトからなり、上記固定具を背上げベッドの背板のスノコ板に結合することで、背上げ時に上記枕がずれ落ちるのを防止できるようにしている。
【０００８】
このような枕カバ−を用いれば、確かに背上げ時に枕がずれ落ちるのを防止することはできる。しかしながら、枕のずれ落ちを防止できても、マットレスを覆ったシ−ツがずれたり、まくれるのを防止できないから、背上げを行うごとにシ−ツのずれやまくれを直さなければならないということがある。
【０００９】
【発明が解決しようとする課題】
このように、従来は、背上げ時に枕の落下を防止できるようにした枕カバ−は開発されているものの、枕の落下防止と同時にシ−ツのずれやまくれを防止できるようになっていなかったので、背上げを行うごとにシ−ツを直さなければならないという不便があった。
この発明の目的は、枕のずれ落ち防止と同時に、シ−ツのずれやまくれを防止できるようにした枕ずれ止め付きシ−ツを提供することにある。
【００１０】
【課題を解決するための手段】
請求項１の発明は、背上げベッド用のマットレスを覆うとともに枕を保持する枕ずれ止め付きシ−ツにおいて、
上記マットレスの上面を覆うとともに周辺部が上記マットレスの下面周辺部に折り込まれるシ−ツと、
上記シ−ツの上記マットレスの一端部下面に折り込まれる部分にマットレスの幅方向に所定間隔で設けられた少なくとも２つの第１の連結部と、
上記シ−ツの上記マットレスの両側下面に折り込まれる部分の一端部にそれぞれ設けられた第２の連結部と、
上記枕を保持する保持部を有し、この保持部の一端側には幅方向に所定間隔で少なくとも２つの連結紐が設けられた枕カバ−とを具備し、
上記枕カバ−は、その保持部をシ−ツで覆われた上記マットレスの上面の一端部に位置させ、各連結紐をそれぞれ第１の連結部に係合させ第２の連結部に結合されて設けられることを特徴とする。
【００１１】
請求項２の発明は、請求項１の発明において、上記シ−ツの一端部には、上記マットレスの一端部を挿入するための袋部が形成され、この袋部の上記マットレスの両側下面に折り込まれる両端部に上記第２の連結部が形成され、中央部分に上記第１の連結部が設けられていることを特徴とする。
【００１２】
請求項３の発明は、請求項１または請求項２の発明において、上記マットレスの両側下面に折り込まれる両端部には、それぞれ複数の第２の連結部がマットレスの幅方向に所定間隔で位置するように設けられていることを特徴とする。
【００１３】
請求項１の発明によれば、枕カバ−に少なくとも２つの連結紐を設け、シ−ツにはマットレスの一端部下面に折り込まれる部分には第１の連結部と第２の連結部とを設け、各連結紐をそれぞれ第１の連結部に係合させ第２の連結部に連結したことで、シ−ツのマットレスの一端部下面に折り込まれた部分は上記連結紐によってその折り込み状態が損なわれることなく保持され、しかもその連結紐によって枕カバ−も所定の位置に確実に保持されることになる。
【００１４】
請求項２の発明によれば、シ−ツの一端部にマットレスの一端部が挿入される袋部を形成したことで、上記一端部におけるシ−ツの折り込み状態が確実に維持されることになる。
【００１５】
請求項３の発明によれば、シ−ツのマットレスの両側下面に折り込まれる両端部に、マットレスの幅方向に所定間隔で位置する複数の第２の連結部を設けたことで、マットレスの厚さや幅寸法などのサイズが変わっても、連結紐を結合する第２の連結部を選択することで、そのサイズ変化に対応してシ−ツの折り込み状態を確実にすることができる。
【００１６】
【発明の実施の形態】
以下、この発明の一実施の形態を図面を参照して説明する。
図４は背上げベッド１を示し、この背上げベッド１は四隅部下端にキャスタ２が設けられたベ−ス３を有する。このベ−ス３上には上下駆動機構４によってベッドフレ−ム５が上下駆動自在に設けられている。このベッドフレ−ム５の長手方向一端にはヘッドボ−ト６が設けられ、他端にはフットボ−ド７が設けられている。
【００１７】
上記ベッドフレ−ム５上には床板８が設けられている。この床板８は５つの床部８ａ〜８ｅに分割されている。中央に位置する固定床部８ｃは上記ベッドフレ−ム５に固定され、この固定床部８ｃの一端には腰床部８ｂと背床部８ａが順次回動自在に連結され、他端には第１の脚床部８ｄと第２の脚床部８ｅが順次回動自在に連結されている。
【００１８】
上記ベッドフレ−ム５の下面側には背上げ用の駆動機構１１が設けられている。この駆動機構１１は回動駆動される第１の駆動ア−ム１２と第２の駆動ア−ム１３とを有する。第１のア−ム１２の先端には一対の第１のロ−ラ１４が回転自在に設けられ、この第１のロ−ラ１４は上記背床部８ａの下面に設けられたガイドレ−ル１５に転動自在に係合している。したがって、上記第１の駆動ア−ム１２が回動すれば、その動きに応じて上記背床部８ａが起伏駆動され、それに腰床部８ｂが連動するようになっている。
【００１９】
上記第２の駆動ア−ム１２の先端には第２のロ−ラ１６が回転自在に設けられ、この第２のロ−ラ１６は上記第１の脚床部８ｄの下面に転接している。したがって、上記第２の駆動ア−ム１２が回動すれば、その動きに上記第１の脚床部８ｄが起伏駆動され、それに第２の脚床部８ｅが連動するようになっている。
【００２０】
上記第２のの脚床部８ｅと上記ベッドフレ−ム５の側面との間にはリンク１７が両端を回動自在に結合して設けられている。それによって、第１の脚床部８ｄの動きに連動してこの第１の脚床部８ｄとでほぼへの字状をなす第２の脚床部８ｅが、その状態で保持されるようになっている。
【００２１】
上記床板８にはマットレス２１が載置されている。このマットレス２１の上面側はシ−ツ２２によって覆われている。このシ−ツ２２の長手方向一端部は図２（ａ）、（ｂ）に示すように所定寸法折曲げられて重合され、その重合部分２３の幅方向両端部が所定寸法縫い付けられている。その縫い代を２４で示す。それによって、上記シ−ツ２２の長手方向一端部の上記重合部分２３は上記マットレス２１の長手方向一端部を挿入することができる袋部２５に形成されている。この袋部２５は図３（ｃ）に明瞭に示されている。
【００２２】
上記シ−ツ２２の上記重合部分２３の裏面の幅方向中央部分には、図２（ｂ）に示すように第１の連結部としてたとえば紐部材を縫い付けた３つのル−プ２６が設けられ、幅方向両端部には第２の連結部としてたとえば連結孔２７がそれぞれ２つずつ幅方向に所定間隔で穿設されている。
【００２３】
上記シ−ツ２２は、その袋部２５をマットレス２１の長手方向一端部、つまり背床部８ａ側に位置する一端部に係合させるとともに、幅方向両側部および長手方向他端部がマットレス２１の下面側に折り込まれることで、このマットレス２１の上面側を覆う。この状態を図１（ａ）〜（ｃ）に示す。
【００２４】
このように、シ−ツ２２によって覆われたマットレス２１の上面側の一端部には図１（ｃ）に示す枕３１が枕カバ−３２によって設けられる。この枕カバ−３２は布地を筒状に縫合した保持部３３を有し、この保持部３３に上記枕３１が挿入保持されている。上記保持部３３の一端側には取付片３４が設けられ、この取付片３４には幅方向に所定間隔で３本の連結紐３５が長さ方向の中途部を連結して設けられている。
【００２５】
上記枕カバ−３２は枕３１を保持した保持部３３をマットレス２１の長手方向一端部の上面に接合させ、取付片３４を端面に沿わせることで、連結紐３５が下面側に導かれている。
【００２６】
図１（ｃ）に示すように、マットレス２１の下面側に導かれた３本の連結紐３５のうちの、中央に設けられた連結紐３５はシ−ツ２２の重合部分２３に設けられた３つのル−プ２６のうちの、中央のル−プ２６に結合固定される。残りの２本の連結紐３５は、それぞれ両側のル−プ２６に通して係合されてから上記シ−ツ２２のマットレス２１の両側下面に折り返された部分に形成された一対の連結孔２７のうちの、幅方向内側に位置する連結孔２７に結合固定される。
【００２７】
このように、枕カバ−３２を連結紐３５によってシ−ツ２２のル−プ２６に係合させてから連結孔２７に連結することで、図４に示すように、床板８の背床部８ａを起上させても、上記枕カバ−３２に保持された枕３１がマットレス２１の上面の所定位置からずれ動くことがない。
【００２８】
したがって、利用者は、背床部８ａを起上させたり、倒伏させる場合に、枕３１がずれ動かないように注意を払わずにすむから、便利である。
一方、上記枕カバ−３２は、その３本の連結紐３５のうちの１本がシ−ツ２２のマットレス２１の一端部裏面側に位置する重合部分２３に設けられたル−プ２６に連結され、残りの２本がル−プ２６に係合されて連結孔２７に連結されている。
【００２９】
そのため、図１（ｃ）に２２ａで示す上記シ−ツ２２のマットレス２１の幅方向両側下面に折り込まれた折り込み部分は、連結紐３５によりル−プ２６を介してシ−ツ２２の袋部２５に結合されるから、背床部８ａを起伏させることで、マットレス２１の一端部がその背床部８ａ上でずれ動いたり、浮き上がるなどしても、上記シ−ツ２２の上記折り込み部分２２ａの折り込み状態が損なわれたり、マットレス２１の長手方向一端部から袋部２５が外れるようなことがない。
【００３０】
したがって、背床部８ａの起伏を繰り返しても、マットレス２１に対してシ−ツ２２がずれ動いて大きなしわができたり、マットレス２１から外れてまるまったりすることなく、良好な状態を維持することができる。つまり、背床部８ａを起伏するたびに、シ−ツ２２の状態を直さずにすみ、便利である。
【００３１】
すなわち、枕カバ−３２をシ−ツ２２に連結紐３５によって結合することで、この枕カバ−３２に保持された枕３１がずれ動くのを防止できると同時に、シ−ツ２２がマットレス２１に対してずれたり、まくれるのも防止することができる。
【００３２】
上記枕カバ−３２に設けられた３本の連結紐３５のうちの両側の２本を、シ−ツ２２の折り込み部分２２ａの幅方向内側に位置する一方の連結孔２７に結合したが、たとえばマットレス２１の幅寸法が小さい場合や厚さ寸法が薄く、上記一方の連結孔２７が図１（ｃ）に示す状態よりもマットレス２１の幅方向内側に位置する場合には、連結紐３５を幅方向外側に位置する他方の連結孔２７に結合することで、シ−ツ２２の折り込み部分２２ａを確実に保持することができる。
【００３３】
つまり、シ−ツ２２の一端部の幅方向両端部に２つの連結孔２７を幅方向に所定間隔で設けたことにより、異なる厚さ寸法や幅寸法のマットレス２１にも確実に使用することができる。
【００３４】
なお、上記一実施の形態ではシ−ツ２２の一端部の幅方向両端部にそれぞれ連２つの結孔２７を設けたが、その数は２つに限定されず、３つ以上であってもよいこと勿論である。
【００３５】
また、シ−ツ２２の一端部に袋部２５を形成し、その袋部２５をマットレス２１の一端部に係合させるようにしたが、袋部２５を形成せず、シ−ツ２２の長手方向一端部をマットレス２１の一端部下面側に折り込むようにしても差し支えない。このような場合であっても、マットレス２１の下面側の長手方向一端部と幅方向両端部に折り込まれた部分がル−プ２６と連結孔２７を介して連結紐３５によって連結されることで、その折り込み状態を確実に維持することが可能である。
【００３６】
上記枕カバ−３２には３本の連結紐３５を設けたが、ル−プ２６だけに結合される中央の連結紐３５はなくてもよい。つまり、枕カバ−３２には少なくとも２本の連結紐３５が設けられていればよい。
【００３７】
第１の連結部をル−プ２６とし、第２の連結部を連結孔２７としたが、これら連結部は連結紐３５を連結できる構造であればよいから、たとえば連結孔２７をル−プに変えてもよく、またル−プ２６を連結孔やボタンなどに変えてもよく、要は連結紐３５を係合させたり、連結できればよい。
【００３８】
【発明の効果】
請求項１の発明によれば、枕カバ−の折り込み部に少なくとも２つの連結紐を設け、シ−ツのマットレスの一端部下面に折り込まれる部分には第１の連結部と第２の連結部とを設け、各連結紐をそれぞれ第１の連結部に係合させてから第２の連結部に連結するようにした。
【００３９】
そのため、シ−ツのマットレスの一端部下面に折り込まれた部分は上記連結紐によってその折り込み状態が損なわれることなく保持され、しかもその連結紐によって枕カバ−も所定の位置に確実に保持されることになるから、上記枕カバ−によって枕の保持とシ−ツの折り込み状態の維持との両方を同時に行うことができる。
【００４０】
請求項２の発明によれば、シ−ツの一端部にマットレスの一端部が挿入される袋部を形成した。
そのため、シ−ツの長手方向一端部をマットレスの長手方向一端部の下面側に単に折り込む場合に比べ、シ−ツがずれたり、折り込み状態が外れるのをより一層、良好に防止することができる。
【００４１】
請求項３の発明によれば、シ−ツのマットレスの両側下面に折り込まれる両端部に、マットレスの幅方向に所定間隔で位置する複数の第２の連結部を設けるようにした。
【００４２】
そのため、マットレスの厚さや幅寸法などのサイズが変化しても、連結紐を結合する第２の連結部を選択することで、そのサイズ変化に対応してシ−ツの折り込み状態を確実にすることができる。
【図面の簡単な説明】
【図１】（ａ）はこの発明の一実施の形態の全体構成を示す斜視図、（ｂ）は同じく裏面側を示す斜視図、（ｃ）は同じくマットレスの長手方向一端部の下面側を示す斜視図。
【図２】（ａ）は同じくシ−ツの表面側の平面図、（ｂ）は同じく裏面側の平面図、（ｃ）は同じく枕カバ−の平面図。
【図３】（ａ）は図１（ｂ）のＸ−Ｘ線に沿う断面図、（ｂ）は同じくＹ−Ｙ線に沿う断面図、（ｃ）は図１（ａ）のＺ−Ｚ線に沿う断面図。
【図４】同じく背上げベッドの側面図。
【符号の説明】
２１…マットレス
２２…シ−ツ
２６…ル−プ（第１の連結部）
２７…連結孔（第２の連結部）
３２…枕カバ−
３３…保持部
３５…連結紐
【図１】
0003545922.tif 000002
【図２】
0003545922.tif 000003
【図３】
0003545922.tif 000004
【図４】
0003545922.tif 000005